(57)【要約】【課題】本発明はスピーカ装置の音質向上に関するものであり、特に小型バスレフボックスにおけるエアーノイズの低減を目的とするものである。【解決手段】本発明のスピーカ装置は、スピーカユニットが装着されたボックス１と、上記ボックスに固定されたバスレフポート部２と、上記バスレフポート部２の開口部に設けられた通気性のある弾性体３と、上記弾性体中央部にバスレフポート部と平行に設けられた開口４により構成されるものである。  これにより、バスレフ効果を保ちながら、小型バスレフボックスにおける小径バスレフポート部が発生するエアーノイズの低減が図れるものである。【選択図】図１
2006211195.tif 000002
【特許請求の範囲】
【請求項１】
スピーカユニットが装着されたボックスと、前記ボックスに固定されたバスレフポート部と、前記バスレフポート部の開口部に設けられた通気性のある弾性体と、前記弾性体中央部にバスレフポート部と平行に設けられた開口により構成されるスピーカ装置。
【請求項２】
バスレフポート部の開口面積が長さ方向に徐変した請求項１記載のスピーカ装置。
【発明の詳細な説明】
【技術分野】
【０００１】
本発明は音響機器に用いられる小型バスレフボックスを用いたスピーカ装置の特性、音質の改善に関するものである。
【背景技術】
【０００２】
バスレフボックスは低温を増強しようとするスピーカシステムに有効で、広く使われている。従来の技術を図３および図４により説明する。図３は従来のバスレフボックスの断面図である。同図によると、６はスピーカユニット、７はバスレフポート部、８はボックス本体である。バスレフポート部７の空気速度は中心部で速く、ポート壁面では最終ゼロとなるため、壁面近くの空気はその粘性で摩擦を起こし、エアーノイズ（空気炸裂音）を発生する。特にボックス本体８が小型の場合、バスレフポート部７も小径となり、同じ空気量でも流速が増して摩擦が大きく、エアーノイズが無視できなくなる。この改善には、図４のごとくバスレフポート部１１内に吸音材１２を設けて制動するのが効果的である。
【０００３】
図４は他の従来のスピーカ装置の要部であるバスレフポート部の断面図であり、同図によると、１０はボックス本体、１１はバスレフポート部、１２は線状材料による球状の吸音材、１３はネットであり、吸音材１２がバスレフポート部１１の中を空気流と一緒に動くことによって、必要な低音は吸収せず、エアーノイズのみを低減することを狙ったものである。
【０００４】
なお、この出願の発明に関連する先行技術文献情報としては、例えば、特許文献１が知られている。
【特許文献１】特開昭６３−２９０６９４９号公報
【発明の開示】
【発明が解決しようとする課題】
【０００５】
しかしながら、前述のような構成では、吸音材１２自体がバスレフポート部１１との間で新たな摩擦音を発生するとともに、長期間の使用で吸音材１２の材料が抜けて痩せてしまい、吸音効果が低下するといった問題があった。
【課題を解決するための手段】
【０００６】
以上従来のような課題を解決するために、本発明のスピーカ装置はスピーカユニットが装着されたボックスと、上記ボックスに固定されたバスレフポート部と、上記バスレフポート部の開口部に設けられた通気性のある弾性体と、上記弾性体中央部にバスレフポート部と平行に設けられた開口により構成されるものである。
【発明の効果】
【０００７】
以上のように、本発明のスピーカ装置は、スピーカユニットが装着されたボックスと、上記ボックスに固定されたバスレフポート部と、上記バスレフポート部の開口部に設けられた通気性のある弾性体と、上記弾性体中央部にバスレフポート部と平行に設けられた開口により構成することで、小径のバスレフポート部においても、バスレフ効果を保ちながら、エアーノイズを効果的に低減することができる。これによって、小型バスレフボックスによるスピーカ装置の実用価値が大きく上がるものである。
【発明を実施するための最良の形態】
【０００８】
本発明のスピーカの一実施の形態について、図１および図２により説明する。
【０００９】
（実施の形態１）
図１により本発明のスピーカ装置の一実施の形態について説明する。図１は本発明のスピーカの一実施の形態の要部であるバスレフポート部の断面図であり、主に請求項１について説明するものである。同図において１はボックス本体、２はバスレフポート部、３は通気性を持つ弾性体で、連続気泡のスポンジ等が考えられる。４は弾性体３にバスレフポート部と平行に設けられた開口である。上記構成により、バスレフポート部２の中心部では、速度の速い空気が開口４を通して流れ、バスレフ効果を保つ。バスレフポート部２の内壁近くでは、弾性体３の適度な抵抗が、空気の速度変化を緩やかなものとするため、壁面と空気との摩擦が低下してエアーノイズが減少する。また、発生したエアーノイズも、弾性体３が微振動してエネルギーを吸収するため、耳に付き易い高周波成分が低減される。通常バスレフポート部出口付近では、気圧の急激な変化で空気が乱れるため、エアーノイズ発生が特に激しい。従って、弾性体３は本図のように、バスレフポート部出口部分に設けることが一番効果的である。本実施形態において、開口４の大きさや、弾性体３の通気度はどちらも、大き過ぎるとエアーノイズ低減効果が小さく、小さ過ぎるとバスレフ効果が不足する。また、弾性体３の長さも、短過ぎるとエアーノイズ低減効果が小さく、長過ぎるとバスレフ効果が低い。従って、これらを最適値に設定することが重要である。なお、弾性体３を設けることで、バスレフポート部２の動作は、実際の寸法より短いものとなるため、補正が必要な場合がある。
【００１０】
（実施の形態２）
本発明のスピーカ装置の他の実施の形態を図２の要部であるバスレフポート部分の断面図により説明する。なお、実施の形態１と同一部分は同一番号を付し、説明を省略する。同図における実施の形態１との相違点は、バスレフポート部５の開口面積を長さ方向に徐変させたことである。このように開口部をラッパ状に開くことで、空気流の乱れを抑えてエアーノイズを低減することが従来知られている。実施の形態２は、実施の形態１にバスレフポート部５を組合せることで、エアーノイズ低減をより図ったものである。
【産業上の利用可能性】
【００１１】
以上のように、本発明のスピーカ装置は、スピーカユニットが装着されたボックスと、上記ボックスに固定されたバスレフポート部と、上記バスレフポート部の開口部に設けられた通気性のある弾性体と、上記弾性体中央にバスレフポート部と平行に設けられた開口により構成することで、小径のバスレフポート部においても、バスレフ効果を保ちながら、エアーノイズを効果的に低減することができる。これによって、小型バスレフボックスによるスピーカ装置の実用価値が大きく上がるものである。
【図面の簡単な説明】
【００１２】
【図１】本発明のスピーカ装置の一実施の形態における要部であるバスレフポート部の断面図
【図２】同他の実施の形態における要部であるバスレフポート部の断面図
【図３】従来のバスレフボックスの断面図
【図４】同他のバスレフボックスの要部であるバスレフポート部の断面図
【符号の説明】
【００１３】
１  ボックス本体
２  バスレフポート部
３  弾性体
４  開口
５  バスレフポート部
【図１】
2006211195.tif 000003
【図２】
2006211195.tif 000004
【図３】
2006211195.tif 000005
【図４】
2006211195.tif 000006